(57)【要約】【課題】僅かなジャッキアップ量で支承を交換可能とする橋梁用支承構造の提供。【解決手段】橋台２００又は橋脚２０５などの下部構造に設置され、主桁２１０や主構、床版などの上部構造を支える橋梁用支承である支承１００の交換方法において、支承１００は、橋台２００又は橋脚２０５の上面部と接するベースプレート１５０と、ベースプレート１５０と主桁２１０との間に配置される支承体に相当する弾性荷重支持板１３０と、弾性荷重支持板１３０の横方向への移動を規制する移動規制部材に相当するスライドプレート１１０を有し、橋台２００又は橋脚２０５と主桁２１０との間に支持手段に相当するジャッキ３００を配置して、ジャッキ３００により、弾性荷重支持板１３０にかかる力を支持しつつ、主桁２１０の変形の許容範囲以下で主桁２１０をジャッキアップし、スライドプレート１１０を撤去することで弾性荷重支持板１３０を交換する。【選択図】図１
2019124044.tif 000002
【特許請求の範囲】
【請求項１】
橋梁の下部構造の上に設置され、前記橋梁の上部構造を支える橋梁用支承の交換方法において、
前記橋梁用支承は、前記下部構造の上面部と接するベースプレートと、該ベースプレートと前記上部構造との間に配置される支承体と、前記支承体の横方向への移動を規制する移動規制部材を有し、
前記下部構造と前記上部構造との間に支持手段を配置して、
該支持手段により、前記支承体にかかる力を支持しつつ、前記上部構造の変形の許容範囲以下で前記上部構造をジャッキアップし、前記移動規制部材を撤去することで前記支承体を交換すること、
を特徴とする橋梁用支承の交換方法。
【請求項２】
請求項１に記載の橋梁用支承の交換方法において、
前記移動規制部材が、前記支承体の周囲に配置されること、
を特徴とする橋梁用支承の交換方法。
【請求項３】
請求項１に記載の橋梁用支承の交換方法において、
前記移動規制部材が２枚の板状部材よりなり、前記支承体に積層されるように配置され、
一方の前記板状部材を前記支承体の側面側から抜き去り、他方の前記板状部材を外すことで、前記支承体を抜き取る空間を確保すること、
を特徴とする橋梁用支承の交換方法。
【請求項４】
橋梁の下部構造の上に設置され、前記橋梁の上部構造を支える橋梁用支承構造において、
前記上部構造の変形を吸収し、前記上部構造の荷重を前記下部構造に伝達する支承体と、
前記支承体の周囲に、該支承体よりも厚みの薄い移動規制部材が固定されて配置され、
前記移動規制部材を外すことで、前記支承体を側面側から抜き去り可能とすること、
を特徴とする橋梁用支承構造。
【請求項５】
橋梁の下部構造の上に設置され、前記橋梁の上部構造を支える橋梁用支承構造において、
前記上部構造の変形を吸収し、前記上部構造の荷重を前記下部構造に伝達する支承体と、
前記支承体に積層するよう配置される、前記支承体の側面側から抜き取る第１板状部材、並びに前記支承体と嵌めあう構造の第２板状部材と、を備えること、
を特徴とする橋梁用支承構造。
【発明の詳細な説明】
【技術分野】
【０００１】
本発明は橋梁のメンテナンスを安全に行う為の技術に関し、具体的には支承の構造を変更することで、メンテナンスを容易に行えるようにする技術に関するものである。
【背景技術】
【０００２】
今日、交通インフラ、特に橋梁などの維持管理というのは非常に大きな問題となっている。これは多くの橋梁が架設されてから時間が経過し、更新や修理などが必要な時期に差しかかっているためで、効率的な維持管理手法が望まれている。また、耐震性の向上などが求められるケースも少なくない。
【０００３】
特許文献１には、交換可能な橋梁用弾性支承装置とその据え付け方法に関する技術が開示されている。橋梁の厚み部には、橋梁の幅方向一側に開口すると共にこの橋梁の幅方向に向けて所定の深さの係合孔部が形成されており、その係合孔部に橋脚上部の支持部が挿入されている。また、支承台上面と係合孔部天井との間に弾性支承体を備えている。そして支持台上面または橋梁の下面側に移動制限部材を着脱自在に備え、橋軸方向に保持部材を設けて弾性支承体を予備せん断変形させた状態を保持するストッパーを、保持部材と弾性支承体との隙間に設けている。また、弾性支承体と予備せん断付与装置の反力受け部材を設けている。支持台の下面と係合孔部の底面との間には、弾性支承体の上部と係合孔部の天井係合部と係合寸法よりも大きな可動隙間寸法が形成されている。このような構成であるため、橋梁を持ち上げ、移動制限部材を取り外すことで弾性支承体を橋梁から切り離すことが可能となり、弾性支承体の交換を容易にしている。
【０００４】
特許文献２には、橋梁の支承構造に関する技術が開示されている。橋脚の沓座に下側ベースプレートを固定し、この下側ベースプレートにゴム本体の下鋼板を着脱自在に固定し、橋桁に上側ソールプレートを固定し、この上側ソールプレートにゴム本体の上鋼板を着脱自在に固定する。そして、上下両鋼板からせん断キー部を突出させるとともに、この下側ベースプレートに溝を横断状に形成し、溝内に２分割の補助プレートを固定し、各補助プレートの内面側に、せん断キー部の半周面に係合する凹部を有している。
【先行技術文献】
【特許文献】
【０００５】
【特許文献１】特開平１０−１６８８１９号公報
【特許文献２】特開平１０−２８０３１９号公報
【発明の概要】
【発明が解決しようとする課題】
【０００６】
しかしながら、橋梁のメンテナンスにあたっては、特に支承や桁端部のメンテナンスにおいて、桁から支承を分離させる必要がある。この為、ジャッキ等を用いて桁を持ち上げる。しかし、桁を持ち上げる際には橋桁や床版にかかる応力が変化するので、ジャッキの設置位置や持ち上げる量などを慎重に検討し、橋桁や床版を破損してしまうリスクを避けなければならない。特許文献１や特許文献２に開示される技術では、ジャッキアップを行って桁を持ち上げる点はこれまでと同様であり、桁と橋脚との間隔を調整する必要がある。また、ジャッキアップ量が大きくなると、橋桁が転倒するおそれもある。
【０００７】
そこで、本発明はこの様な課題を解決する為に、可能な限りジャッキアップ量を減らした状態で支承を交換可能とする橋梁用支承構造及び橋梁用支承の交換方法を提供することを目的とする。
【課題を解決するための手段】
【０００８】
前記目的を達成するために、本発明の一態様による橋梁用支承の交換方法は、以下のような特徴を有する。
【０００９】
（１）橋梁の下部構造の上に設置され、前記橋梁の上部構造を支える橋梁用支承の交換方法において、前記橋梁用支承は、前記下部構造の上面部と接するベースプレートと、該ベースプレートと前記上部構造との間に配置される支承体と、前記支承体の横方向への移動を規制する移動規制部材を有し、前記下部構造と前記上部構造との間に支持手段を配置して、該支持手段により、前記支承体にかかる力を支持しつつ、前記上部構造の変形の許容範囲以下で前記上部構造をジャッキアップし、前記移動規制部材を撤去することで前記支承体を交換すること、を特徴とする。
【００１０】
（２）（１）に記載の橋梁用支承の交換方法において、前記移動規制部材が、前記支承体の周囲に配置されること、が好ましい。
【００１１】
（３）（１）に記載の橋梁用支承の交換方法において、前記移動規制部材が２枚の板状部材よりなり、前記支承体に積層されるように配置され、一方の前記板状部材を前記支承体の側面側から抜き去り、他方の前記板状部材を外すことで、前記支承体を抜き取る空間を確保すること、が好ましい。
【００１２】
上記（１）乃至（３）のいずれかに記載の態様によって、橋梁用支承をジャッキアップ無しで、或いは僅かにジャッキアップするだけで交換可能な橋梁用支承の交換方法を提供可能になる。課題に示したようにジャッキアップを行うことで主桁や主構を含む橋桁や床版などの上部構造に想定外の負荷がかかるケースがあり、橋梁用支承の交換の際には橋梁の破損のリスクがある。しかしながら、（１）に示すように、本発明の橋梁は、移動規制部材によって、例えば（２）に記載の態様のように支承体が移動しないよう保持している構造となっている。このため、上部構造から支承体にかかる負荷を取り除いた上でこの移動規制部材を外すことで、支承体の交換が可能となる。この際には、上部構造のジャッキアップは殆ど必要無い。このため、橋梁用支承をジャッキアップ無しで、或いは僅かにジャッキアップするだけで交換可能となる。
【００１３】
この結果、下部構造に対して上部構造である主桁などをほとんど持ち上げる必要が無く、上部構造の転倒や破損などを避けることが可能となる。ここで、上部構造の変形の許容範囲とは、上部構造に破損が生じない程度の変形を意味している。橋梁は温度や荷重条件などで変形するため、例えば主桁であれば、橋梁の長さ方向、幅方向、高さ方向に、数ｍｍ程度の変形が許容されるように設計されている。この許容量は大きさや用いられる材質、構造によって変化がある為、一概に決定されないが、（１）に記載の構成を採用することで、上部構造をほぼジャッキアップしないか、ジャッキアップするにしても数ｍｍ程度の上昇量で橋梁用支承の撤去が可能である。こうした上部構造に応じた変形の許容範囲はそれぞれの設計に応じて決めることができる。
【００１４】
このような、従来のように支承体を抜くための空間を確保できるようにジャッキなどで上部構造を大きく持ち上げる必要は無い。（３）に記載の態様では、具体的な構成について言及しており、移動規制部材が２枚の板状部材によりなり、そのうち１枚を側面から抜き出すことで、支承体の容易な交換を実現している。この結果、橋梁の破損リスクを回避することが可能となり、上部構造の転倒リスクなども低減することが可能となる。
【００１５】
また、前記目的を達成するために、本発明の他の態様による橋梁用支承構造は、以下のような特徴を有する。
【００１６】
（４）橋梁の下部構造の上に設置され、前記橋梁の上部構造を支える橋梁用支承構造において、前記上部構造の変形を吸収し、前記上部構造の荷重を前記下部構造に伝達する支承体と、前記支承体の周囲に、該支承体よりも厚みの薄い移動規制部材が固定されて配置され、前記移動規制部材を外すことで、前記支承体を側面側から抜き去り可能とすること、を特徴とする。
【００１７】
（５）橋梁の下部構造の上に設置され、前記橋梁の上部構造を支える橋梁用支承構造において、前記上部構造の変形を吸収し、前記上部構造の荷重を前記下部構造に伝達する支承体と、前記支承体に積層するよう配置される、前記支承体の側面側から抜き取る第１板状部材、並びに前記支承体と嵌めあう構造の第２板状部材と、を備えること、を特徴とする。
【００１８】
上記（４）または（５）に記載の態様によって、橋梁用支承の交換にあたって上部構造を大きくジャッキアップする必要が無くなる。支承体はジャッキ等を用いて無負荷状態にする必要があるが、（４）においては移動規制部材を外すことで、（５）においては第１板状部材と第２板状部材を外すことで、上部構造を大きくジャッキアップすることなく抜き取ることで、支承体を取り外すことができ、その結果、橋梁用支承の交換を、上部構造をジャッキで大きく持ち上げることなく行う事ができる。
【図面の簡単な説明】
【００１９】
【図１】第１実施形態の、支承の正面図である。
【図２】第１実施形態の、支承の側面図である。
【図３】（ａ）第１実施形態の、スライドプレートの平面図と、（ｂ）スライドプレートの側面図である。
【図４】（ａ）第１実施形態の、ストッパーの平面図と、（ｂ）ストッパーの側面図である。
【図５】（ａ）第１実施形態の、サイドブロックの平面図と、（ｂ）サイドブロックの側面図である。
【図６】第１実施形態の、支承の分解斜視図である。
【図７】第１実施形態の、橋梁を模式的に示した側面図である。
【図８】第１実施形態の、弾性荷重支持板を抜く際の手順を示した正面図である。
【図９】第２実施形態の、支承の正面図である。
【図１０】第２実施形態の、支承の側面図である。
【図１１】第２実施形態の、支承の分解斜視図である。
【図１２】第２実施形態の、弾性荷重支持板を抜く際の手順を示した正面図である。
【図１３】第３実施形態の、支承の分解斜視図である。
【発明を実施するための形態】
【００２０】
まず、本発明の第１の実施形態について図面を用いて説明を行う。図１に、第１実施形態の支承の正面図を示す。図２に、支承の側面図を示す。なお、図１、及び図２は説明の都合により、複数の断面を同じ平面に表現している。図７に、橋梁を模式的に表した側面図を示す。橋梁１０の構造を簡単に説明する。橋梁１０には、橋脚２０５、主桁２１０、橋台２００、床版などが備えられ、橋脚２０５または橋台２００の上に配置される主桁２１０（説明の都合上、図１及び図２においては主桁２１０の下フランジのみを示している）は支承１００によって支持される。なお、橋梁１０の構造はあくまで説明のために簡略化した一例であり、高欄部や床版などの構造物を省略して示している。
【００２１】
橋梁１０に用いられる支承１００は、スライドプレート１１０と、サイドブロック１２０と、弾性荷重支持板１３０と、ストッパープレート１４０と、ベースプレート１５０と、アンカーボルト１６０とを備えている。ベースプレート１５０の下には後打ちコンクリート部２０６が設けられており、これによって支承１００を配置する際に支承１００のレベル調整がなされている。また、主桁２１０の下フランジ部と支承１００との連結にはボルト１８０が用いられている。図３（ａ）に、スライドプレート１１０の平面図を示し、（ｂ）に側面図を示す。なお、図３（ｂ）は説明のために右半分を断面図としている。図４（ａ）に、ストッパープレート１４０の平面図を示し、（ｂ）に側面図を示す。図５（ａ）に、サイドブロック１２０の平面図を示し、（ｂ）に側面図を示す。
【００２２】
図６に、支承の斜視図を示す。スライドプレート１１０には、凹部１１１と、ボルト孔１１２、リブ１１３を備えている。凹部１１１には円柱状のキー材１７０が挿入される。スライドプレート１１０の厚みは、弾性荷重支持板１３０の厚みよりも数ミリ程度厚く設定され、無機ジンク塗装が施されている。無機ジンク塗装は防食目的で施工される。錆の発生によってスライドプレート１１０が固着することを防ぐ為である。
【００２３】
ストッパープレート１４０は、弾性荷重支持板１３０の変位を抑制する板状の部材で、第１部材１４０Ａと第２部材１４０Ｂの２枚よりなる。ストッパープレート１４０の中央には弾性荷重支持板１３０の収まるφＡのサイズの穴１４１が設けられた形状となっている。ストッパープレート１４０の四隅にはベースプレート１５０に固定する為のボルトを通すボルト孔１４２が設けられている。ストッパープレート１４０の下面には水抜溝１４３が設けられている。支承体に相当する弾性荷重支持板１３０は、天然ゴムが円盤状の鋼板に挟まれる積層構造になっている。弾性荷重支持板１３０は、天然ゴムの弾性を利用して、上部構造にあたる主桁２１０等の荷重を、下部構造にあたる橋脚２０５または橋台２００に伝達すると共に、上部構造の変形を吸収する。
【００２４】
ベースプレート１５０の下面には、カプラー１６５を介してアンカーボルト１６０の取り付けられるねじ穴が設けられており、上面にはストッパープレート１４０とサイドブロック１２０を取り付けるためのねじ穴が設けられている。ベースプレート１５０は、アンカーボルト１６０によって、下部構造の橋台２００または橋脚２０５に固定される。サイドブロック１２０は、ベースプレート１５０の上に固定された際に、スライドプレート１１０を爪１２２で押さえるような構造になっている。つまり、スライドプレート１１０はサイドブロック１２０の爪１２２によって左右から押さえられる形となる。また、サイドブロック１２０にはベースプレート１５０に固定する際に用いるボルトを挿通するボルト孔１２１が形成されている。
【００２５】
この様なスライドプレート１１０と、サイドブロック１２０と、弾性荷重支持板１３０と、ストッパープレート１４０と、ベースプレート１５０と、アンカーボルト１６０とカプラー１６５が組み合わされて、図１及び図２に示すような支承１００を構成する。この支承１００は図７に示される様に主桁２１０の下部に配置される。
【００２６】
次に、支承１００の交換手順について簡単に説明する。図８に支承１００の交換中の様子を正面図に示す。まず、橋台２００（または橋脚２０５）の上にジャッキ３００を配置する。この際に、主桁２１０の下部にジャッキ３００の頭部が当接するよう、ジャッキ３００が配置されるのが望ましい。この状態でジャッキ３００を用いて、主桁２１０からの荷重がスライドプレート１１０にかからない状態とする。この際に、ジャッキアップ量はゼロになるようにする事が好ましいが、厳密にゼロとするのではなく、主桁２１０の変形の許容範囲内以下でジャッキアップすれば良い。主桁２１０の変形の許容範囲は、橋梁１０の長さなどにもよるが、概ね数ｍｍ程度となる。この状態で、ストッパープレート１４０を固定しているボルトを外し、図６に示すようにストッパープレート１４０を、第１部材１４０Ａと第２部材１４０Ｂで分けて前後に引き抜く。
【００２７】
この後、弾性荷重支持板１３０を引き抜く。この様な手順で作業を行うことで、図１に示されるようにキー材１７０によって移動ができなくなっていたスライドプレート１１０を、図８に示すように下方向に空間３１０ができることで、主桁２１０を更にジャッキアップすることなく、図２の横方向に抜き取ることができる。
【００２８】
第１実施形態の橋梁用の支承１００は上記構成であるため、以下に説明するような作用及び効果を奏する。
【００２９】
まず、第１実施形態の橋梁１０に用いられる支承１００によって、主桁２１０のジャッキアップ量を最小限に抑えて支承を交換可能とする橋梁用支承構造が提供可能となる。これは、橋台２００又は橋脚２０５などの下部構造に設置され、主桁２１０や主構、床版などの上部構造を支える橋梁用支承である支承１００の交換方法において、支承１００は、橋台２００又は橋脚２０５の上面部と接するベースプレート１５０と、ベースプレート１５０と主桁２１０との間に配置される支承体に相当する弾性荷重支持板１３０と、弾性荷重支持板１３０の横方向への移動を規制する移動規制部材に相当するストッパープレート１４０を有し、橋台２００又は橋脚２０５と主桁２１０との間に支持手段に相当するジャッキ３００を配置して、ジャッキ３００により、弾性荷重支持板１３０にかかる力を支持しつつ、主桁２１０の変形の許容範囲以下で主桁２１０をジャッキアップし、ストッパープレート１４０を撤去することで弾性荷重支持板１３０を交換するからである。
【００３０】
弾性荷重支持板１３０の上面に接して配置されるスライドプレート１１０は、例えば図１に示すように主桁２１０の下に備えられており、主桁２１０とスライドプレート１１０とは、キー材１７０によって横方向への移動が規制されている。しかし先にストッパープレート１４０を外し、弾性荷重支持板１３０を外すことで、スライドプレート１１０を上下に移動させる空間が確保できるため、スライドプレート１１０の取り外しも可能となる。なお、ストッパープレート１４０の側面にタップ穴を設けても良く、そのタップ穴に取っ手やボルトなどを取り付けて引っ張り出すことも出来る。この様な構成であるため、ジャッキ３００によって主桁２１０を上に持ち上げなくとも、スライドプレート１１０に負荷がかからない状態とすれば良い。
【００３１】
橋梁１０に用いられる支承の多くは、下部構造である橋台２００や橋脚２０５の上面にアンカーボルト１６０などを用いて取り付けられている。つまり、支承の上部に空間が無いと支承の交換が行えない構造となっている事が多い。このため従来は、主桁２１０を数百ｍｍ以上ジャッキアップして保持した状態で作業を行う必要があった。この際に、主桁２１０が転倒しないように慎重にジャッキアップする必要性があり、作業時間も要する。しかし、第１実施形態の支承１００を用いる事で、主桁２１０がジャッキによって大きく持ち上げられる必要が無く、支承１００に荷重がかからない状態で保持すれば良いので、主桁２１０に無理な力がかかったり、転倒したりというリスクを回避出来ることになる。また、ジャッキアップに要する時間も短縮可能である。その結果、橋梁１０の破損リスクを極力低下させることが可能となる。
【００３２】
次に、本発明の第２の実施形態について説明する。第２実施形態は第１実施形態の構成と若干異なるので、異なる部分を中心に以下に説明を行う。図９に、第２実施形態の支承の正面図を示す。図１０に、支承の側面図を示す。図１１に、支承の分解斜視図を示す。第２実施形態の支承４００は、スペーサ４１１と、シンボウ受け４１２と、上フランジプレート４２０と、弾性荷重支持板４３０と、ベースプレート４５０と、アンカーボルト４６０と、カプラー４６５を有している。スペーサ４１１及びシンボウ受け４１２は、それぞれ無機ジンク塗装が施されている。スペーサ４１１の厚みはシンボウ受け４１２より厚くなるように設計されている。
【００３３】
上フランジプレート４２０は、主桁２１０に接する部品であり、中央に円形の段付き孔４２１が設けられている。段付き孔４２１には円筒状のシンボウ４３５が挿入される。シンボウ４３５は上部が段付きになっていて、リングナット４２５で上面が押さえられる。上フランジプレート４２０の下に設けられるのが、弾性荷重支持板４３０である。弾性荷重支持板４３０は円盤状に積層されて形成され、その中央には貫通孔が設けられている。この貫通孔にシンボウ４３５が貫通して配置される。また、シンボウ４３５はシンボウ受け４１２にも連通することになる。スペーサ４１１及びシンボウ受け４１２はベースプレート４５０の上面に接するように配置される。なお第２実施形態では、弾性荷重支持板４３０の変位はシンボウ４３５によって抑制される。
【００３４】
ベースプレート４５０の下面には、ボルト４１３によってカプラー４６５を介してアンカーボルト４６０が接続される。そして、アンカーボルト４６０によって、ベースプレート４５０が下部構造の橋台２００または橋脚２０５に固定される。スペーサ４１１及びシンボウ受け４１２はベースプレート４５０と弾性荷重支持板４３０の間に挟まれて設けられる。ベースプレート４５０はボルト４５２とワッシャ４５３によって後打ちコンクリート部２０６に固定されている。
【００３５】
図１２に、弾性荷重支持板４３０を抜く際の手順を正面図に示す。第２実施形態の支承構造は上記の通りであるので、ジャッキ３００によって主桁２１０からの荷重を受け、スペーサ４１１を側面側に抜き取る。図１２にはスペーサ４１１を抜き去った様子を示しており、この状態であればシンボウ受け４１２を抜くことが出来る空間が生まれるので、シンボウ受け４１２を側面側に抜き取ることができる。その次に弾性荷重支持板４３０を撤去する。こうすることで、支承４００の交換が可能となる。
【００３６】
この際にも、第１実施形態と同様にジャッキ３００を用いて主桁２１０からの荷重が弾性荷重支持板４３０にかからない状態とする、あるいは主桁２１０の変形の許容範囲内でのジャッキアップにより、支承４００の交換作業が可能となる。よって、主桁２１０がジャッキによって大きく持ち上げられる必要が無いので、主桁２１０に無理な力がかかったり、転倒したりというリスクを回避出来る。その結果、橋梁１０の破損リスクを極力低下させることが可能となる。
【００３７】
次に、本発明の第３の実施形態について説明する。第３実施形態は第２実施形態の構成とほぼ同じであるが、第２実施形態のスペーサ４１１及びシンボウ受け４１２に相当する構成の位置が異なる。図１３に、第３実施形態の支承５００の分解斜視図を示す。第３実施形態のスペーサ５１１と位置決め板５１２は、弾性荷重支持板４３０の上側で、図示しない主桁２１０と上フランジプレート４２０との間に配置される。図示されていないが、位置決め板５１２の中央部には穴が空いており、段付き孔４２１が挿入される。そして、スペーサ５１１と位置決め板５１２は図示しない主桁２１０にボルトで固定される構成となっている。
【００３８】
支承５００を交換する場合には、図１２に示された第２実施形態のケースと同様に、ジャッキ３００によって主桁２１０からの荷重を受ける。この状態で、スペーサ５１１と位置決め板５１２を固定するボルトを外した上で、スペーサ５１１を側面側に抜き取る。こうすることで、支承５００の交換が可能となる。よって第２実施形態と同様に、主桁２１０に無理な力がかかったり、転倒したりというリスクを回避することができる。その結果、橋梁１０の破損リスクを極力低下させることが可能となる。
【００３９】
以上、本発明に係る橋梁用支承構造の実施形態を説明したが、本発明はこれに限定されるわけではなく、その趣旨を逸脱しない範囲で様々な変更が可能である。例えば、第１実施形態乃至第３実施形態のいずれでも、支承１００、支承４００、及び支承５００を交換するにあたって主桁２１０をジャッキ３００によって支持するような構成となっているが、ジャッキ３００以外の手段を用いて主桁２１０を支える事を妨げない。また、本発明は図７に示したような構造の橋梁１０以外にも適用可能である事は言うまでも無い。
【符号の説明】
【００４０】
１０        橋梁
１００      支承
１１０      スライドプレート
１２０      サイドブロック
１３０      弾性荷重支持板
１４０      ストッパープレート
１５０      ベースプレート
１６０      アンカーボルト
２００      橋台
２０５      橋脚
２１０      主桁
【図１】
2019124044.tif 000003
【図２】
2019124044.tif 000004
【図３】
2019124044.tif 000005
【図４】
2019124044.tif 000006
【図５】
2019124044.tif 000007
【図６】
2019124044.tif 000008
【図７】
2019124044.tif 000009
【図８】
2019124044.tif 000010
【図９】
2019124044.tif 000011
【図１０】
2019124044.tif 000012
【図１１】
2019124044.tif 000013
【図１２】
2019124044.tif 000014
【図１３】
2019124044.tif 000015